(57)【特許請求の範囲】
【請求項１】
被写体像を撮像素子に露光させる撮像手段と、
発光部に可視光を発光させる発信手段と、
光学系を通して前記撮像素子に露光される光と前記発光部から前記光学系を通って発光される可視光とを分割する分割手段と、
前記撮像手段により露光させる期間と前記発信手段により可視光を発光させる期間とが重ならないように前記撮像手段および前記発信手段を制御する制御手段と、を有することを特徴とする撮像装置。
【請求項２】
前記発信手段は、前記可視光の発光に基づいて、前記撮像装置に関連した情報を外部に発信し、
前記撮像装置に関連した情報は、前記可視光を視認することにより識別する前記撮像装置の現在の動作状態を示す情報および前記可視光に含まれ受信装置により受信可能な情報のうち少なくとも何れか一方であることを特徴とする請求項１に記載の撮像装置。
【請求項３】
前記撮像装置に関連した情報を符号化する符号化手段を更に有し、
前記発信手段は、前記可視光の発光に基づいて、前記符号化手段により符号化された情報を外部に発信することを特徴とする請求項２に記載の撮像装置。
【請求項４】
前記撮像手段により露光された映像を解析する映像解析手段と、
前記映像解析手段による解析結果を符号化する符号化手段とを更に有し、
前記発信手段は、前記可視光の発光に基づいて、前記符号化手段により符号化された解析結果を前記撮像装置に関連した情報として外部に発信することを特徴とする請求項２に記載の撮像装置。
【請求項５】
前記撮像手段により露光された映像を読み出す読み出し手段を更に有し、
前記制御手段は、前記読み出し手段により映像を読み出す期間と前記発信手段により可視光を発光させる期間との少なくとも一部が重なるように前記読み出し手段および前記発信手段を制御することを特徴とする請求項１ないし４の何れか１項に記載の撮像装置。
【請求項６】
被写体像を撮像素子に露光させる撮像手段と、
発光部に可視光を発光させる発信手段と、
光学系を通して前記撮像素子に露光される光と前記発光部から前記光学系を通って発光
される可視光とを分割する分割手段と、を有する撮像装置の制御方法であって、
前記撮像手段により露光させる期間と前記発信手段により可視光を発光させる期間とが重ならないように前記撮像手段および前記発信手段を制御することを特徴とする撮像装置の制御方法。
【発明の詳細な説明】
【技術分野】
【０００１】
本発明は、撮像装置およびその制御方法に関するものである。
【背景技術】
【０００２】
デジタルカメラや監視カメラの普及により、人々が生活上でカメラを使用したり、撮影されたりする機会が増加している。このようなカメラについて、被写体となりうる者に対して、撮像装置に関連した情報、例えば撮影中であるということを表す情報を示すことが一般的である。このようなカメラの例として、撮影中であることを示すランプを備えたビデオカメラや、撮影を行うとシャッター音が発生させるカメラ付き携帯電話等がある。
【０００３】
また、特許文献１に開示されている携帯端末は、発光素子を備え、撮影ボタンが押されたときに発光素子を点灯または点滅させることで、撮影ボタンが押されたことを報知する。
さらに、撮影中であるということを示す以外にも、より詳細な情報を被写体となりうる者に伝えたい場合がある。例えば、監視カメラを設置した際に、そのカメラを誰が設置したか等の情報である。
【０００４】
こうした用途のため、従来から、監視カメラやデジタルカメラ等の撮像装置に、発信部を備えたものが提案されている。例えば、特許文献２に開示されている撮像告知システムでは、撮像装置が撮像範囲に存在する受信装置に対して、指向性の電波で、撮像装置が撮影状態である情報と撮像装置を特定できる情報とを送信する。
【先行技術文献】
【特許文献】
【０００５】
【特許文献１】特許第４０６９６８１号公報
【特許文献２】特許第３８８８１４３号公報
【発明の概要】
【発明が解決しようとする課題】
【０００６】
しかしながら、撮影中であることを示すランプを備えたビデオカメラでは、撮影時に常時ランプが点灯もしくは点滅する。したがって、ランプの光を遠くまで届かせようとすると、ランプの光自体が映像に映り込んでしまうという問題がある。
また、特許文献１に開示されている携帯端末では、撮影ボタンの押下という単純な情報しか報知することができない。
また、特許文献２に開示されている撮像告知システムでは、撮像装置に関連する情報を受信するために受信装置が必要であるため、受信装置を所有しない者はその情報を受け取ることができない。
【０００７】
したがって、撮像装置が発光素子と発信部との両方を備えていれば、受信装置を所有しない者には単純な情報を伝えることができ、受信装置を所有する者にはより詳細な情報を伝えることが可能となる。しかしながら、情報伝達のために二つの機構を備える複雑な構成となるために、部品のコストや電力消費量等が増えてしまうという問題がある。
【０００８】
本発明は、上述したような問題点に鑑みてなされたものであって、撮影を行うときに映像を妨げることなく、簡単な構成で撮像装置に関連した情報を発信できるようにすることを目的とする。また、受信装置を所有する者には、より詳細な情報を発信できるようにすることを目的とする。
【課題を解決するための手段】
【０００９】
本発明の撮像装置は、被写体像を撮像素子に露光させる撮像手段と、発光部に可視光を発光させる発信手段と、光学系を通して前記撮像素子に露光される光と前記発光部から前記光学系を通って発光される可視光とを分割する分割手段と、前記撮像手段により露光させる期間と前記発信手段により可視光を発光させる期間とが重ならないように前記撮像手段および前記発信手段を制御する制御手段と、を有することを特徴とする。
【発明の効果】
【００１０】
本発明によれば、撮影を行うときに映像を妨げることなく、簡単な構成で撮像装置に関連する情報を発信することができる。また、受信装置を所有する者には、より詳細な情報を発信することができる。
【図面の簡単な説明】
【００１１】
【図１】第１の実施形態に係る撮像装置の構成を示すブロック図である。
【図２】第１の実施形態に係る撮像装置の外観を示す図である。
【図３】第１の実施形態に係る撮像装置の動作を示すタイミングチャートである。
【図４】第２の実施形態に係る撮像装置の構成を示すブロック図である。
【図５】第２の実施形態に係る撮像装置の外観を示す図である。
【図６】第２の実施形態に係る撮像装置の動作を示すタイミングチャートである。
【図７】第３の実施形態に係る撮像装置の構成を示すブロック図である。
【図８】第４の実施形態に係る撮像装置の構成を示すブロック図である。
【図９】第４の実施形態に係る撮像装置の外観および内部構成を示す図である。
【発明を実施するための形態】
【００１２】
以下、本発明に係る実施形態について図面を参照して説明する。
（第１の実施形態）
本実施形態では、部屋の天井に撮像装置としての監視カメラが配置されている場合に、その動作状態を赤色ＬＥＤで周囲に知らせるシステムを例に挙げて説明する。
図１は、本実施形態に係る監視カメラの構成を示す図である。
監視カメラ１０は、撮像部１０１と、発信部１０２と、制御部１０３と、記録部１０４とを含んで構成されている。
【００１３】
撮像部１０１は、内部にレンズ群によって構成される光学系と、シャッターと、被写体像を結像させるＣＣＤ等の撮像素子と、撮像素子に蓄積された電荷から映像信号を生成する映像処理部とを含んで構成されている。
撮像部１０１は、外界を撮影して映像信号を生成し制御部１０３に送信する。
発信部１０２は、可視光を発光する赤色ＬＥＤと、制御部１０３からの制御信号を、赤色ＬＥＤを制御する電圧に変換するＤ／Ａ変換部とを含んで構成されている。発信部１０２は、制御部１０３からの制御信号を受け、赤色ＬＥＤを発光させる。なお、発信部１０２は赤色ＬＥＤに限られず、他の発光部であってもよい。
制御部１０３は、各種演算と監視カメラ１０全体との制御を行う。また、制御部１０３は撮像部１０１および発信部１０２の制御を行い、撮像部１０１の映像信号を記録部１０４に送信する。
記録部１０４は、例えばハードディスク等であって、制御部１０３から送信された映像信号が記録する。
上述したように構成される監視カメラ１０は、撮像部１０１で撮影した外界の映像信号を記録部１０４に記録することができる。また、監視カメラ１０は、撮影中に発信部１０２が赤色ＬＥＤを点灯させて、外部に撮影していることを示すことができる。
【００１４】
図２は、監視カメラ１０の動作を説明するための図である。図２に示すように、部屋の天井にはドーム型の監視カメラ１０が取り付けられている。また、図２に示すように、監視カメラ１０に備えられた赤色ＬＥＤ１１が点灯している。したがって、監視カメラ１０の周囲にいる者は、監視カメラ１０の存在を認識できると共に監視カメラ１０が撮影していることを認識することができる。
【００１５】
次に、本実施形態の監視カメラ１０は、赤色ＬＥＤ１１が発光したときに赤色ＬＥＤ１１の発光が映像に映り込まないように、制御部１０３は、撮像部１０１および発信部１０２を制御している。以下、制御部１０３の制御について図３のタイミングチャートを参照して説明する。図３では、横軸が時間の経過を示し、黒枠がそれぞれ上から順に「露光」、「読み出し」、「ＬＥＤ発光」の各過程がその時間帯で行われることを示している。「露光」とは、撮像部１０１において撮像素子が受光を行い、電荷を蓄積する過程のことをいう。また、「読み出し」とは、撮像部１０１が撮像素子に蓄積された電荷から映像信号を生成する映像処理を行う過程のことをいう。また、「ＬＥＤ発光」とは、赤色ＬＥＤが点灯している過程のこという。
【００１６】
図３に示すように、制御部１０３は映像を記録する単位となる１フレーム内において、露光が行われる時間を避けて赤色ＬＥＤを点灯させるように、撮像部１０１および発信部１０２を制御する。すなわち、制御部１０３は、露光する期間と、赤色ＬＥＤの点灯する期間とが重ならないように撮像部１０１および発信部１０２を制御する。より具体的に説明すると、制御部１０３は、撮像部１０１に露光を行うように指示し、露光が終了してから、発信部１０２に赤色ＬＥＤを発光させるように指示する。
なお、制御部１０３は発信部１０２に赤色ＬＥＤを発光させるように指示するときに、撮像部１０１に読み出しを行うように指示し、赤色ＬＥＤの点灯する期間と読み出し期間との少なくとも一部が重なるように制御している。また、制御部１０３は、次の１フレームにおける露光が始める前に赤色ＬＥＤの発光を終わるように、発信部１０２に指示している。
【００１７】
このように、本実施形態によれば、監視カメラ１０が赤色ＬＥＤを点灯させることで周囲にいる者に現在の撮影状態を認識させることができる。また、監視カメラ１０は、撮像部１０１が露光するタイミングを避けて、赤色ＬＥＤの発光を行うために、撮影される映像に赤色ＬＥＤの光やその反射光が映り込まないようにすることができる。また、監視カメラ１０は、赤色ＬＥＤを発光させるときに撮像素子の読み出しを行うので、全体の処理時間を短縮させることができる。
【００１８】
すなわち、本実施形態によれば、撮像装置が撮影する映像を妨げることなく、単純な構成で受信装置を所有しない者に撮像装置の現在の撮影状態を認識させることができる。
なお、本実施形態では、赤色ＬＥＤを点灯させることで監視カメラ１０が撮影中であることを示す場合について説明したがこの場合に限られない。すなわち、赤色ＬＥＤ等の発光部の点滅状態や色を変更することで、より多くの状態、例えば電源は入っているものの撮影は行わない休止状態であることや、警戒レベルを高めて動作していること等の撮影状態を識別できるようにしてもよい。
【００１９】
（第２の実施形態）
本実施形態では、第１の実施形態のシステムに、受信装置を所有する者が監視カメラから監視カメラに関連する詳細情報を受信可能な構成を加えたシステムについて説明する。なお、本実施形態の監視カメラに関連する詳細情報とは、ここでは監視カメラに関連する情報が掲載されたウェブサイトのアドレス情報（ＵＲＬ情報）である。
図４は、本実施形態に係る監視カメラの構成を示す図である。なお、第１の実施形態と同一の構成は、同一符号を付してその説明は省略する。
監視カメラ２０は、撮像部１０１と、発信部１０２と、制御部１０３と、記録部１０４と、符号化部１０５を含んで構成されている。
【００２０】
符号化部１０５は、監視カメラ２０に関連する情報としてのＵＲＬ情報をデジタルデータに符号化し、制御部１０３に送信する。
制御部１０３は、受信したＵＲＬ情報を発信部１０２に発信させるように指示することで、発信部１０２がＵＲＬ情報を外部に発信する。したがって、受信装置を所有する者は、受信装置を介してＵＲＬ情報を取得することができる。
【００２１】
図５は、監視カメラ２０の動作を説明するための図である。図５では、監視カメラ２０に備えられた赤色ＬＥＤ２１が点灯している。また、受信装置２３は、監視カメラ２０から発信されたＵＲＬ情報２４を、内蔵する受信部により受信し、画面上に表示している。
【００２２】
次に、本実施形態の監視カメラ２０は、監視カメラに関連する情報を発信する動作について図６に示すタイミングチャートを参照して説明する。図６では、図３に示すタイミングチャートに加えて、「データ発信」の過程が加えられている。「データ発信」とは、発信部１０２の赤色ＬＥＤが、符号化部１０５により符号化されたデジタルデータを発信することをいう。このデジタルデータの発信は、可視光通信の要領で行われ、可視光通信コンソーシアムの策定した可視光通信標準規格に従って行われる。同規格では通信速度４Ｍｂｐｓでの通信が可能であるため、対応した受信装置を用いることで、図６に示す「データ発信」の黒枠のような短い期間でも詳細な情報を発信することができる。
【００２３】
図６に示すように、制御部１０３は、映像を記録する単位となる１フレーム内において、露光が行われる時間を避けて、赤色ＬＥＤを点灯させると共にデータ発信をするように制御する。すなわち、制御部１０３は、露光する期間と、赤色ＬＥＤの点灯する期間およびデータ発信する期間とが重ならないように撮像部１０１および発信部１０２を制御する。より具体的に説明すると、制御部１０３は、撮像部１０１に露光を行うように指示し、露光が終了してから、発信部１０２に赤色ＬＥＤを発光させるように指示する。さらに、制御部１０３は、赤色ＬＥＤを発光させてから、データ発信をするように発信部１０２に指示する。
なお、発信部１０２に赤色ＬＥＤを発光させるように指示するときに、撮像部１０１に読み出しを行うように指示し、赤色ＬＥＤの点灯する期間と読み出し期間との少なくとも一部が重なるように制御する。また、制御部１０３は、次の１フレームにおける露光が始める前にデータ発信が終わるように、発信部１０２に指示する。
【００２４】
このような処理により、監視カメラ２０は、監視カメラに関連する情報であるＵＲＬ情報を発信でき、受信装置２３はその情報を受信できる。なお、データ発信時においては、赤色ＬＥＤが高速で点灯および消灯を繰り返すが、赤色ＬＥＤを視認する者にはその点滅が視覚されることはなく、点灯が続いているものとして視覚される。
【００２５】
このように、本実施形態によれば、撮像装置が撮影する映像を妨げることなく、受信装置を所有する者に、より詳細な情報を発信することができる。
なお、本実施形態では、監視カメラに関連する情報としてＵＲＬ情報を例にして説明したがこの場合に限られない。例えば監視カメラを設置した事業者の情報が含まれていてもよい。また、部屋のどこに設置されているのかという情報、何時から何時まで動作しているのかという情報、何の目的のために設置されているのかという各種の監視カメラに関連した情報等が含まれていてもよい。
【００２６】
なお、符号化部１０５は、これらの情報を表したテキストデータをデジタルデータに符号化する。このとき、符号化部１０５が各種の圧縮を行い、受信装置２３が伸長するように構成してもよい。
また、詳細情報の発信に可視光通信標準規格に従った可視光通信方式を用いた場合について説明したが、発信方式はこれに限られず、例えばＭＩＴで開発されたＢｏｋｏｄｅ方式を用いてもよい。なお、Ｂｏｋｏｄｅ方式を用いる場合、受信装置もＢｏｋｏｄｅ方式に対応した受信装置にする必要がある。
また、図６に示すＬＥＤ発光を省略してもよく、この場合、監視カメラ２０の周囲にいる者はデータ発信によって赤色ＬＥＤが点灯している状態を視認することで、撮像装置が撮影していることに認識することができる。
【００２７】
（第３の実施形態）
本実施形態では、第２の実施形態のシステムに映像解析部を加えたシステムについて説明する。
図７は、本実施形態に係る監視カメラの構成を示す図である。なお、第２の実施形態と同一の構成は、同一符号を付してその説明は省略する。
監視カメラ３０は、撮像部１０１と、発信部１０２と、制御部１０３と、記録部１０４と、符号化部１０５と、映像解析部１０６とを含んで構成されている。
【００２８】
映像解析部１０６は、撮像部１０１から映像信号を受信し、その解析を行う。解析結果はテキストデータに変換され、符号化部１０５に送信される。符号化部１０５は、解析結果を表すテキストデータを、デジタルデータに符号化し、制御部１０３に送信する。制御部１０３は受信した解析結果を発信部１０２に発信させるように指示することで、発信部１０２が解析結果を発信する。したがって、受信装置を所有する者は、受信装置を介して監視カメラ３０による映像の解析結果を取得することができる。なお、符号化部１０５が符号化するときに、各種の圧縮を行ってよい。この場合、受信装置が圧縮された解析結果を伸長するように構成する。また、制御部１０３は、解析結果を記録部１０４に保存してもよい。
【００２９】
本実施形態では、映像解析部１０６を加えることで、監視カメラ３０が次のような動作を行うことが可能になる。
例えば、映像解析部１０６が映像の中に人物が何人いるのかを検出し、発信部１０２がその人数を詳細情報として発信することができる。また、映像解析部１０６が予め顔を登録している人物が映像に含まれているかを検出し、人物が含まれている場合に発信部１０２がその情報を発信することができる。発信部１０２では、第２の実施形態と同様に赤色ＬＥＤが可視光通信等を用いて発信することができる。
【００３０】
また、監視カメラ３０は、無線操作信号受信部を備えていてもよい。この場合、例えば、無線操作信号受信部が監視カメラ３０の管理者が所有するリモートコントローラから無線操作信号を受信することができ、発信部１０２が記録部１０４に記録された映像を解析してそのレポートを発信する等の動作が可能になる。
このように、本実施形態によれば、撮像装置が撮影する映像を妨げることなく、受信装置を所有する者に、撮像装置が映像を解析した結果を発信することができる。これにより、例えば監視カメラ３０の設置されている部屋にやってきた警備員が過去の状況をレポートとして監視カメラ３０から受け取ったり、探している物が監視カメラ３０の設置されている部屋にあるかどうか等を確認したりすることができる。
【００３１】
（第４の実施形態）
本実施形態では、第１の実施形態の撮像装置の構成を小型化し、光分割部を加えた人体装着型の撮像装置（以下、人体装着型カメラという）について説明する。
図８は、本実施形態に係る人体装着型カメラの構成を示す図である。
人体装着型カメラ４０は、撮像部１０１と、発信部１０２と、制御部１０３と、記録部１０４と、光分割部１０７とを含んで構成されている。
光分割部１０７は、光の経路を二つに分割するブロックであり、例えばビームスプリッタやマイクロミラーアレイデバイスから構成される。
【００３２】
図９を参照して本実施形態に係る人体装着型カメラの外観および光分割部の構成について説明する。
図９（ａ）に示す人体装着型カメラ４０は、カメラ本体４１の中心に、撮像部１０１の撮像素子に被写体像を結像するため、および発信部１０２の赤色ＬＥＤから外部に可視光を発光するための光学系４２を備えている。また、カメラ本体４１内には、撮像部１０１の撮像素子に入射する光と発信部１０２から発光する光とを分割する光分割部を備えている。具体的に図９（ｂ）を参照して説明すると、人体装着型カメラ４０は、光学系４２と撮像部１０１との間、光学系４２と発信部１０２との間に、光分割部１０７が配置されている。光分割部１０７は、入射された一部の光を反射し、他の一部の光を透過させるようにして、光を分割させる機能を有している。図９（ｂ）に示す態様では、光分割部１０７は、光学系４２を通って撮像部１０１に向かう光を透過させ、発信部１０２からの光を反射させて光学系４２から外部に発光させている。また、図９（ｂ）に示すように、光分割部１０７から光学系４２との間において、発信部１０２から発光させる光と撮像部１０１に向かう光との光軸を一致させている。このように構成することで、撮像部１０１の光学系と発信部１０２の光学系とを共通させて用いることができる。したがって、光学系４２は、外部から視認した場合に撮像部１０１と発信部１０２とを兼ねる撮像部兼発信部として機能させることができる。
【００３３】
本実施形態では、共通の光学系４２を介して、撮像部１０１が撮影を行い、また発信部１０２の赤色ＬＥＤが発光する。したがって、赤色ＬＥＤの発光を遮ってしまうと、撮像部１０１の光学系も遮られてしまうこととなり、結果として撮影を行うことができなくなってしまう。すなわち、本実施形態の人体装着型カメラ４０によれば、盗撮や隠し撮りを防ぐことができる。
なお、図９（ｂ）に示す撮像部１０１と発信部１０２との位置を入れ替えても同様の効果を奏することができる。
【００３４】
上述した第１の実施形態では、図３に示すように赤色ＬＥＤを発光させて撮影状態を認識させる構成について説明した。また、第２の実施形態では、図６に示すように赤色ＬＥＤを発光させて撮影状態を認識させると共に赤色ＬＥＤを点滅させてデータ発信を行う構成について説明した。しかしながら、この場合のみに限られず、撮像装置は、赤色ＬＥＤを発光させて撮影状態を認識させる構成および赤色ＬＥＤを点滅させてデータ発信を行う構成のうち少なくとも何れか一方を備えることができる。
【符号の説明】
【００３５】
１０、２０：３０：監視カメラ  ４０：人体装着型カメラ  １０１：撮像部  １０２：発信部  １０３：制御部  １０４：記録部  １０５：符号化部  １０６：映像解析部  １０７：光分割部
【図１】
0005534978.tif 000002
【図２】
0005534978.tif 000003
【図３】
0005534978.tif 000004
【図４】
0005534978.tif 000005
【図５】
0005534978.tif 000006
【図６】
0005534978.tif 000007
【図７】
0005534978.tif 000008
【図８】
0005534978.tif 000009
【図９】
0005534978.tif 000010